(57)【特許請求の範囲】
【請求項１】
第１棒状体と該第１棒状体が挿入される第２棒状体とを備えた伸縮棒において、
前記第１棒状体には、前記第２棒状体に挿入可能な第１ガイド部材が連結され、該第１ガイド部材には、軸方向に直交し、かつ、第１キーが回動可能に遊嵌合されるキー収納溝が設けられ、前記第１キーは、基体部と出没部とを備えており、前記基体部の一端側が軸支され、他端側が付勢されて前記出没部が出没可能となっており、前記第２棒状体の端部側の内周面には、前記第１キーの出没部を収容する円環収容溝が設けられており、
前記第１棒状体、又は、第２棒状体を押圧して第１キーの出没部の摩擦面と前記円環収容溝の側壁の摩擦面を圧接させ所定方向に回転させることにより、前記両摩擦面間の摩擦力により前記第１キーの他端側が押し下げられて前記円環収容溝の側壁との係合状態が解除されることを特徴とする伸縮棒。
【請求項２】
第１棒状体と該第１棒状体が挿入される第２棒状体とを備えた伸縮棒において、
前記第１棒状体には、前記第２棒状体に挿入可能な第１ガイド部材を連結し、該第１ガイド部材には、軸方向に直交し、かつ、第１キーが回動可能に遊嵌合される第１キー収納溝を設け、前記第１キーは、基体部と出没部とを備えた半月状キーであり、前記基体部の一端側が軸支され、他端側が付勢されて前記出没部が出没可能となっており、前記第２棒状体の端部側の内周面には、前記第１キーの出没部を収容する円環収容溝が設けられており、
第１棒状体、又は、第２棒状体を押圧して前記第１キーの出没部の摩擦面と前記円環収容溝の側壁の摩擦面を圧接させ所定方向に回転させることにより、前記両摩擦面間の摩擦力により第１キーの他端側が押し下げられて前記円環収容溝の側壁との係合状態が解除されることを特徴とする伸縮棒。
【請求項３】
第１ガイド部材には、軸方向に直交し、かつ、第２キーが回動可能に遊嵌合される第２キー収納溝が設けられ、該第２キー収納溝は、第１キー収納溝から軸方向に離間して配設され、前記第２キーは、基体部と出没部とを備えた半月状キーであり、前記基体部の一端側が軸支され、他端側が付勢されて前記出没部が出没可能となっており、前記第２棒状体の端部側の内周面には、前記第１及び第２キーの出没部を収容する円環収容溝が設けられており、
第１棒状体、又は、第２棒状体を押圧して前記第２キーの出没部の摩擦面と前記円環収容溝の側壁の摩擦面を圧接させ所定方向に回転させることにより、前記両摩擦面間の摩擦力により第２キーの他端側が押し下げられて前記円環収容溝の側壁との係合状態が解除されることを特徴とする請求項２記載の伸縮棒。
【請求項４】
第２棒状体を時計方向に回転させて第１キーの出没部と円環収容溝の側壁との係合状態を解除し、また、その反対方向に回転させて第２キーと円環収容溝の内壁との係合状態を解除することを特徴とする請求項３記載の伸縮棒。
【請求項５】
前記第２棒状体内の先端と円環収容溝との間に、第１ガイド部材の摺動を停止させるストッパリングが設けられていることを特徴とする請求項１、２、３、又は、４記載の伸縮棒。
【請求項６】
第１キーは、付勢手段を介して軸支されていることを特徴とする請求項１、２、３、４、又は、５記載の伸縮棒。
【発明の詳細な説明】
【技術分野】
【０００１】
本発明は、警察官やガードマン等の護身用や制圧用の警棒等として用いられている、伸縮棒に関するものである。
【背景技術】
【０００２】
従来の伸縮棒は、 第１棒状体と前記第１棒状体を収納する第２棒状体とを有し、第１棒状体の端部を大径部とし、前記大径部の周面に軸方向及び円周方向においてずらして形成した２つのガイド穴に第１ロック板と第２ロック板とをそれぞれ出没自在に装着し、第２棒状体の端部近傍の内周面には前記大径部を係止する段部と、前記第１ロック板と第２ロック板の先端部を嵌合する環状溝を設けるとともに、前記環状溝の第１ロック板が当接する位置に前記環状溝の深さと同じ高さの突起を設けてなり、第１ロック板の先端面を前記突起に当接して押し下げることにより環状溝との嵌合状態を解除して第１ロック板を第２棒状体内に押し込み、続いて第２ロック板の先端面を前記突起に当接させて環状溝との嵌合状態を解除して第２棒状体内に押し込むことにより、第１棒状体を第２棒状体に収納可能としている（例えば、特許文献１、参照）。
【先行技術文献】
【特許文献】
【０００３】
【特許文献１】特開平１０―１２２１１号公報
【発明の開示】
【発明が解決しようとする課題】
【０００４】
従来の伸縮棒には、次の様な問題がある。
（１）ロックを解除する際には、ロック板が突起に圧接するまで、前記棒状体を回動しなければならないので、効率よく解除できない。
（２）伸縮棒を伸ばして使用しているときに、第１棒状体が大きな力で押されると、環状溝内に突出しているロック板の先端部が前記溝の側壁に圧接され、大きな剪断力を受けるが、この剪断力は、前記側壁に圧接している先端部分だけで受けることになる。そのため、前記ロック板の剪断面積は、極めて小さなものとなるので、剪断力に耐え切れず、破損してしまい、ロック状態を維持することができないことがある。
【０００５】
本発明は、上記事情に鑑みなされたものであり、簡単、かつ、確実にロック機構のオン・オフができるようにすることを目的とする。
【課題を解決するための手段】
【０００６】
この発明は、第１棒状体と該第１棒状体が挿入される第２棒状体とを備えた伸縮棒において、前記第１棒状体には、前記第２棒状体に挿入可能な第１ガイド部材が連結され、該第１ガイド部材には、軸方向に直交し、かつ、第１キーが回動可能に遊嵌合されるキー収納溝が設けられ、前記第１キーは、基体部と出没部とを備えており、前記基体部の一端側が軸支され、他端側が付勢されて前記出没部が出没可能となっており、前記第２棒状体の端部側の内周面には、前記第１キーの出没部を収容する円環収容溝が設けられており、前記第１棒状体、又は、第２棒状体を押圧して第１キーの出没部の摩擦面と前記円環収容溝の側壁の摩擦面を圧接させ所定方向に回転させることにより、前記両摩擦面間の摩擦力により前記第１キーの他端側が押し下げられて前記円環収容溝の側壁との係合状態が解除されることを特徴とする。
【０００７】
この発明は、第１棒状体と該第１棒状体が挿入される第２棒状体とを備えた伸縮棒において、前記第１棒状体には、前記第２棒状体に挿入可能な第１ガイド部材を連結し、該第１ガイド部材には、軸方向に直交し、かつ、第１キーが回動可能に遊嵌合される第１キー収納溝を設け、前記第１キーは、基体部と出没部とを備えた半月状キーであり、前記基体部の一端側が軸支され、他端側が付勢されて前記出没部が出没可能となっており、前記第２棒状体の端部側の内周面には、前記第１キーの出没部を収容する円環収容溝が設けられており、第１棒状体、又は、第２棒状体を押圧して前記第１キーの出没部の摩擦面と前記円環収容溝の側壁の摩擦面を圧接させ所定方向に回転させることにより、前記両摩擦面間の摩擦力により第１キーの他端側が押し下げられて前記円環収容溝の側壁との係合状態が解除されることを特徴とする。
【０００８】
この発明の第１ガイド部材には、軸方向に直交し、かつ、第２キーが回動可能に遊嵌合される第２キー収納溝が設けられ、該第２キー収納溝は、第１キー収納溝から軸方向に離間して配設され、前記第２キーは、基体部と出没部とを備えた半月状キーであり、前記基体部の一端側が軸支され、他端側が付勢されて前記出没部が出没可能となっており、前記第２棒状体の端部側の内周面には、前記第１及び第２キーの出没部を収容する円環収容溝が設けられており、第１棒状体、又は、第２棒状体を押圧して前記第２キーの出没部の摩擦面と前記円環収容溝の側壁の摩擦面を圧接させ所定方向に回転させることにより、前記両摩擦面間の摩擦力により第２キーの他端側が押し下げられて前記円環収容溝の側壁との係合状態が解除されることを特徴とする。
【０００９】
この発明は、第２棒状体を時計方向に回転させて第１キーの出没部と円環収容溝の側壁との係合状態を解除し、また、その反対方向に回転させて第２キーと円環収容溝の内壁との係合状態を解除することを特徴とする。この発明の前記第２棒状体内の先端と円環収容溝との間に、第１ガイド部材の摺動を停止させるストッパリングが設けられていることを特徴とする。この発明の第１キーは、付勢手段を介して軸支されていることを特徴とする。
【発明の効果】
【００１０】
この発明は、以上の様に構成したので、第１、第２棒状体がロックされている状態では、第１棒状体、又は、第２棒状体を押圧して前記第１キーの出没部の摩擦面と円環収容溝の側壁の摩擦面を圧接させ所定方向に回転させることにより、前記両摩擦面間の摩擦力により第１キーの他端側が押し下げられて前記円環収容溝の側壁との係合状態が解除される。
【００１１】
又、ロック解除状態においては、第２棒状体を手で握って振ると、第１棒状体が第２棒状体内を摺動して所定の長さまで伸び、第１キーが円環収容溝に到達すると、付勢されている第１キーの出没部が前記円環収容溝内に突出し、ロック状態となる。この様に簡単に、かつ、確実にロック状態及びロック解除状態にすることができる。
【図面の簡単な説明】
【００１２】
【図１】本発明の第１実施例を示す斜視図で、第1棒状体の第１ガイド部材の分解図である。
【図２】ロック機構部のロックオン状態を示す拡大縦断面図である。
【図３】図２のIII−III線断面図である。
【図４】第１キーのロックが解除された状態を示す拡大断面図である。
【図５】図４のＶ―Ｖ線断面図である。
【図６】第１キーが押込まれ円環収容溝から離れた状態を示す拡大縦断面図である。
【図７】伸縮棒の保管状態を示す図で、第１及び第２棒状体が第３棒状体に収納されている状態を示す縦断面図である。
【図８】伸縮棒の使用状態を示す図で、第１及び第２棒状体が伸びきった状態を示す縦断面図である。
【発明を実施するための形態】
【００１３】
本発明の第１実施形態を図１〜図９により説明する。伸縮棒、例えば、警察官やガードマン等が護身用や制圧用として用いる三段式伸縮棒は、第１棒状体１と、該第１棒状体１が挿入される第２棒状体３と、該第２棒状体３が挿入される第３棒状体（「元筒」ともいう）５とを備えている（図７、図８参照）。
【００１４】
前記第１棒状体１の先端部には、トップボール７が設けられ、その後端部には、前記第２棒状体３に挿入可能な第１ガイド部材９が連結されている。前記第２棒状体３と第１ガイド部材９は、互いに摺動可能及び回動可能な範囲で略同一径に形成されている。前記第１ガイド部材９の後端部９ａには、ガイド棒８の本体８ａの基端部が連結され、その自由端は拡径部１２となっている。この拡径部１２は、円柱状の胴部１２ａと、その前後に設けられた前円錐部１２ｂ及び後円錐部１２ｃと、前円錐部１２ｂに連続する絞り部１２ｄと、該絞り部１２ｄと本体８ａとを連結するテーパー部１２ｅとを備えている（図１参照）。前記ガイド棒８は、第２棒状体３と同芯状に配設されている。
【００１５】
前記第１ガイド部材９には、軸方向に直交し、かつ、第１キー１１が回動可能に遊嵌合される第１キー収納溝１０が設けられている。前記第１キー収納溝１０は、第１ガイド部材９を半円板状に切り抜いて形成した様な、円弧状凹部であり、底部１０ｃと該底部１０ｃの両端に垂設された内側壁１０ａ、外側壁１０ｂとを備えている。前記両側壁１０ａ、１０ｂ間の長さ（底部１０ｃの幅）は、前記第１キー１１の厚み（軸方向の幅）より少し大きく形成されている。
【００１６】
前記第１キー１１は、基体部１１ａと出没部１１ｂとを備えた半月状又は半円板状のキーであり、両面が平坦面となっている（図３参照）。該第１キー１１の厚さ（軸方向の長さ）は、前記第１キー収納溝１０の底部１０ｃの幅の寸法よりもわずかに小さく形成されている。前記基体部１1ａの一端側は、前記底部１０ｃ側の前記両側壁１０ａ、１０ｂに軸支され、他端側は付勢手段１３により付勢されている。前記付勢手段１３は、第１キー１１の底面と第１キー収容溝１０の底部１０ｃ間に配設され、この付勢手段１３の伸縮により第１キー１１の出没部１１ｂが第１キー収容溝１０に出入り（出没）する。この付勢手段として、例えば、コイルバネ、板バネ、ゴム部材などが用いられる。
【００１７】
前記第１キ−１１の内面１１ｃと前記キー収納溝１０の内側壁１０ａとの間には、付勢手段１９が設けられているが、この付勢手段１９は、バネ収容凹部１７に配設されている。前記バネ収容凹部１７は、第１キー１１の内面１１ｃの軸部２０に形成されているが、第１キー収納溝１０の内側壁１０ａに設けることも可能である。前記付勢手段１９として、例えば、スプリングワッシャ、コイルバネ、板バネ、ゴム部材等が用いられる。
【００１８】
前記第１キー１１の出没部１１ｂと円環収納溝１４の側壁１４ａとの係脱により、第１棒状体１と第２棒状体３が固定されたり（ロックオン）、該固定の解除がなされたり（ロックオフ）するので、これらはロック機構を構成している。
【００１９】
前記第１ガイド部材９の先端部９ｂには、軸方向に直交し、かつ、第２キー１１Ａが回動可能に遊嵌合される第２キー収納溝１０Ａが設けられている。この第２キー収納溝１０Ａは、前記第キー収納溝１０から軸方向に離間し、かつ、前記第１キー収納溝１０と反対側に開口している（図１参照）。図２、図３に示すように、第２キー１１Ａの一端側は、第１キー１１の軸部２０側で軸支され、他端側の出没部１１ｂは付勢手段により付勢されている。そのため、前記第１キー１１では、第２棒状体３を時計方向に回動すると付勢手段１３が押圧されて出没部１１ｂが没入しロック解除状態となるのに対し、第２キー１１Ａでは、反時計方向に回動すると出没部１１ｂが没入してロック解除状態となる。なお、第２キー収納溝１０Ａ、第２キー１１Ａは、前記第１キー収納溝１０、第１キー１１と同様に形成されているので、詳細な説明は省略するが、同一図面符号は、その名称も機能も同一である。
【００２０】
前記第２棒状体３の先端部３ａ側の内周面には、前記第１キー１１及び第２キー１１Ａの出没部１１ｂを収容する円環収容溝１４が設けられている。この円環収容溝１４の軸方向の長さは、前記第１キー収納溝１０の外側壁１０ｂと第２キー収納溝１０Ａの外側壁１０ａ間の長さと等しく形成されている。前記円環収容溝１４の後側壁１４ａ及び前側壁１４ｂは、垂直状の摩擦面となっている。
【００２１】
第２棒状体３の先端部３ａ内部には、その先端と円環収容溝１４との間に、ストッパリング１８が設けられている（図２、図４、図６参照）。このストッパリング１８は、第１棒状体１が伸長する際に第１ガイド部材９に当接し、第１棒状体１の摺動を停止させるものであり、伸縮棒が伸長する際に、第１棒状体１がすっぽ抜けるのを防止すると共に、第２キー１１Ａが円環収容溝１４の１４ｂに衝突するのを防止する。
【００２２】
前記第２棒状体３の後端部には、前記第３棒状体５に挿入可能な第２ガイド部材２１が連結されているが、前記第３棒状体５と第２ガイド部材２１は、互いに摺動可能及び回動可能な範囲で略同一径に形成されている。この第２ガイド部材２１の中心には、貫通穴２３が設けられているが、この貫通穴２３は、前記ガイド棒８の拡径部１２が挿通可能な大きさに形成され、かつ、同芯状に配設されている。
【００２３】
前記第２ガイド部材２１の後端部には、軸方向に直交する第３キー収納溝２５が設けられ、該第３キー収納溝２５には、先端部を円弧状に形成したロック板２７が出没自在に設けられている。このロック板２７は、バネ手段２９を介して付勢されているので、該ロック板２７の先端部は、前記第３キー収納溝２５に出入り（出没）可能となっている。前記ロック板２７の中央部には、前記ガイド棒８を挿通させる上下動穴３０が設けられている。この上下動穴３０の径は、貫通穴２３と同一、又は、それよりわずかに大きく形成されている。
【００２４】
前記第３棒状体５の先端部５ａ側の内周面には、前記ロック板２７の先端部を収容する前側円環収容溝３１が設けられている。この円環収容溝３１の長さ（幅）は、前記第ロック板２７の幅（厚さ）と略同じ大きさに形成されている。前記第３棒状体５の後端部５ｂには、前記ロック板２７の先端部を収容する後側円環収容溝３２が設けられている。この円環収容溝３２の長さ（幅）は、前記第ロック板２７の幅（厚さ）と略同じ大きさに形成されている。第３棒状体５の後端には、キャップ３３が嵌められているが、このキャップ３３の内面には、前記ガイド棒８の拡径部１２を収容する収容凹部３５が設けられている。
【００２５】
次に、本実施形態の作動について説明する。
「伸縮棒のロック状態（ロックオン）」
図８に示すように、第１棒状体１に連結された第１ガイド部材９の第１キー１１及び第２キー１１Ａの出没部１１ｂが円環収容溝１４内に突出し、又、第２棒状体３に連結された第２ガイド部材２１のロック板２７が前側円環溝３１内に突出し、前記棒状体１、３，５は互いに摺動できない状態（ロック状態）となっているので、伸縮棒は一本の棒体の様になり、押しても引いても摺動しなくなる。この状態で、前記伸縮棒を警棒等として使用しても、ロック状態を維持できるので、伸縮棒の長さが変化することはない。
【００２６】
「伸縮棒の収納時」
一方の手で第１棒状体１を握って固定し、他方の手で第２棒状体３を握り軸方向に押圧しながら矢印Ａ１方向（時計回り）に回転させる。そうすると、第１キー１１の出没部１１ｂの摩擦面は、円環収容溝１４の後側壁１４ａの摩擦面に圧接する（図２、図３参照）とともに、前記キー収納溝１０は付勢手段１９を圧縮しながら更に進むので、第１キー１１の外面１１ｄと第１キー収納溝１０の外側壁１０ｂとの間に隙間αが生ずる。そのため、第１キー１１の出没部１１ｂは、前記円環収容溝１４の後側壁１４ａに圧接するが、第１キー１１の基体部１１ａは、前記溝１０、１４の前記側壁１０ｂ、１４ａに接触しない状態となる（図４参照）。なお、第１キー１１の内面１１ｃと前記第１キー収納溝１０の内側壁１０ａとの間には、付勢手段１９が介在するので、両者は殆ど当接しない状態となっている。
【００２７】
この状態において、第２棒状体３を更に同方向に回転させると、前記第１キ−１１の出没部１１ｂの摩擦面と前記第２棒状体３の側壁１４ａの摩擦面が互いに圧接しているので、第１キー１１は、付勢手段１３のばね力に抗して出没部１１ｂが、第２棒状体３に引き下げられる様にして回転して第１キー収納溝１０内に没入する状態（図４、図５参照）になるとともに、前記第１キー１１は第２棒状体３内に挿入される（図６参照）。なお、前記後側壁１４ａに圧接する前記第１キー１１の出没部１１ｂは、半月状の円弧状部となっているので、圧接面積（剪断面積）を大きくとることができる。そのため、第１キー１１の剪断力による破損事故を防止することができる。
【００２８】
第２棒状態２を押圧しながら矢印Ａ１と反対方向（反時計回り）に回転させると、第２キー１１Ａの出没部１１ｂの摩擦面が前記円環収容溝１４の後側壁１４ａの摩擦面に圧接するが、その後の第２キー１１Ａは、前記第１キー１１と同様に作動してロックが解除されるので、ここでは、説明を省略する。
【００２９】
第１キー１１及び第２キー１１Ａのロックが解除された後、第１棒状体１を第２棒状体３内に押し込むと、ガイド棒８が第２ガイド部材２１の貫通穴２３内を通る。この際に、ガイド棒８の拡径部１２が、ロック板２７の上下動穴３０を通り、バネ手段２９のばね力に抗してロック板２７を押し下げる。そのため、前記ロック板２７の先端部は、第３キー収納溝２５内に没入するので、前記ロック板２７と前側円環収容溝３１との係止が解除されるので、ロックオフとなる。
【００３０】
なお、前記ガイド棒８の拡径部１２は、胴部１２ａの前後の円錐台部１２ｂ、１２ｃ、テーパー部１２ｅを備えているので、ロック板２７の上下動穴３０への抜き差しをスムーズに行うことができる。
【００３１】
更に、第１棒状体１を押込むと、前記第２ガイド部材２３は前記第１ガイド部材９に押されて第３棒状体５内を摺動し、第２ガイド部材２３のロック板２７が、後側円環収容溝３２に到達すると、その先端部が前記後側円環溝３２内に突出するとともに、前記ガイド棒８の拡径部１２は収容凹部３５に嵌入されるので、第１棒状体１、第２棒状体３は完全に第３棒状体５内に収納され固定される（図７参照）。この状態では、前記ロック板２７の上下動穴３０内にガイド棒８の絞り部１２ｄが位置し、前記ロック板２７は押し下げる力を受けないので、ロック板２７の先端部が後側円環収容溝３２から外れることは無い（図７参照）。そのため、確実に、ロック状態を維持することができる。
【００３２】
「伸縮棒の使用時」
ロック状態の伸縮棒の第３棒状体５を一方の手で握り、強く振ると、拡径部１２が収容凹部３５から外れ、ガイド棒８が摺動し、貫通穴２３内を通り抜ける。この時、ガイド棒８の拡径部１２は該上下動穴３０を通過する際にロック板２７を押し下げるので、前記ロック板２７の先端部は第３キー収納溝２５内に没入する。そのため、前記ロック板２７と後側円環収容溝３２との係合状態が解除される。
【００３３】
又、第２棒状体３は第３棒状体５内を摺動するとともに、第１棒状体１は第２棒状体３内を摺動するので、第１ガイド部材９がストッパリング１８に衝突し、それ以上摺動することができなくなる。この時、付勢されているロック板２７の先端部は前側円環収容溝３１に入り込み、又、付勢されている第１キー１１、第２キー１１Ａの出没部１１ｂは、円環収容溝１４に入り込むので、ロック状態となる（図８参照）。なお、この伸縮棒は、前記のように強く振って伸長させる代わりに、第１棒状体１のトップボール７を引っ張って前記ロック板２７と後側円環収容溝３２との係合状態を解除した後、第１及び２棒状体１、３を手で引っ張って伸ばし、ロック状態にすることもできる。
【００３４】
この発明の実施形態は、前記実施形態に限定されるものではなく、例えば、次の様にしてもよい。
（１）第１キー収納溝１０の内側壁１０ａと第１キー１１の内面１１ｃとの間に付勢部材１９を設ける代わりに、前記内側壁１０ａと前記内面１１ｃを極力摩擦抵抗が少なくなるように加工し、当接してもほとんど摩擦抵抗が発生しない様にしても良い。
【００３５】
（２）第１キー及び第２キーの形状は、半月状、又は、半円板状に限定されるものではなく、軸支される基体部１１ａとその外側に突出部１１ｂがあれば良いので、例えば、銀杏の葉状に形成することもできる。
【００３６】
（３）第１キー及び第2キーの出没部１１ｂの摩擦面及び円環収容溝の側壁の摩擦面を粗面等に加工し、摩擦抵抗が大きくなるようにしても良い。
【符号の説明】
【００３７】
１        第１棒状体
３        第２棒状体
５        第３棒状体
８        ガイド棒
９        第１ガイド部材
１０      第１キー収納溝
１０Ａ    第２キー収納溝
１１      第１キー
１１Ａ    第２キー
１１ａ    基体部
１１ｂ    出没部
１１ｃ    内面
１１ｄ    外面
１２      拡径部
１３      付勢手段
１４      円環収容溝
１４ａ    側壁
１５      軸部
１７      バネ収容凹部  
１８      ストッパリング
１９      付勢手段
２１      第２ガイド部材
２３      貫通穴
２７      ロック板
３０      上下動穴
３１      前側円環収容溝
３２      後側円環収容部
３５      収容凹部
α        隙間
【図１】
0006382606.tif 000002
【図２】
0006382606.tif 000003
【図３】
0006382606.tif 000004
【図４】
0006382606.tif 000005
【図５】
0006382606.tif 000006
【図６】
0006382606.tif 000007
【図７】
0006382606.tif 000008
【図８】
0006382606.tif 000009